(57)【要約】【課題】  床ずれが発生し易い圧迫部位はもとよりその周囲を含めて十分な除圧効果を得ることができ、且つ、沈み方についても十分に考慮して横揺れの発生を防止することが可能な身体用マットを提供すること。【解決手段】  表面編地と裏面編地とこれら表面編地と裏面編地との間に設けられ上記表面編地と裏面編地とを連結する連結糸群とからなる立体編物であってその構成が同じもの及び又は異なるものを複数種類用意し、同じ種類の立体編物及び又は異なる種類の立体編物を複数枚積層させて構成されたもの。【選択図】  図７
2010148657.tif 000002
【特許請求の範囲】
【請求項１】
表面編地と裏面編地とこれら表面編地と裏面編地との間に設けられ上記表面編地と裏面編地とを連結する連結糸群とからなる立体編物であってその構成が同じもの及び又は異なるものを複数種類用意し、
同じ種類の立体編物及び又は異なる種類の立体編物を複数枚積層させ、
上記複数枚積層された立体編物の高さを比較した場合、上層を構成する立体編物の内最上位に位置する立体編物は上層のその他の立体編物及び中層・下層の立体編物に比べてその高さが低く設定されていることを特徴とする身体用マット。
【請求項２】
請求項１記載の身体用マットにおいて、
上記複数枚積層された立体編物の内上層の立体編物の表面編地は中層・下層の立体編物の表面編地に比べて細かく編まれているものであることを特徴とする身体用マット。
【請求項３】
請求項１又は請求項２記載の身体用マットにおいて、
上記各立体編物を二つ折りにして積層させたことを特徴とする身体用マット。
【請求項４】
請求項１〜請求項３の何れかに記載の身体用マットにおいて、
個々の立体編物が備えている荷重作用時の屈曲方向特性を考慮して、少なくとも積層させる全ての立体編物の上記屈曲方向特性が重ならないように、任意の立体編物を任意角度だけ回転・積層させるようにしたことを特徴とする身体用マット。
【請求項５】
請求項４記載の身体用マットにおいて、
上記複数枚の立体編物を積層させることにより、個々の立体編物が備えている荷重作用時の屈曲方向特性が全体として打ち消されて略鉛直下方に沈むように、上記回転させる任意の立体編物とその任意角度を決定することを特徴とする身体用マット。
【請求項６】
請求項５記載の身体用マットにおいて、
上記任意角度は４５°〜９０°の範囲で設定されることを特徴とする身体用マット。
【請求項７】
請求項６記載の身体用マットにおいて、
上記任意角度は９０°であることを特徴とする身体用マット。
【請求項８】
請求項７記載の身体用マットにおいて、
上記複数枚の立体編物を９０°ずつ交互にずらして積層させたことを特徴とする身体用マット。
【発明の詳細な説明】
【技術分野】
【０００１】
本発明は、例えば、病院や介護施設等において使用される床ずれ防止マットや車椅子において使用されるクッション等として使用される身体用マットに係り、特に、身体の形態を底付きを起こすことなくその形態に合わせて沈めた状態で受け止めることができ、それによって、接触面積を拡大して局所的な除圧のみならず広範囲での除圧を可能にし、且つ、横揺れを防止することができるように工夫したものに関する。
【背景技術】
【０００２】
いわゆる「床ずれ」とは、持続的な体表面の圧迫に伴う皮下軟部組織の循環障害に起因する局所的組織壊死である。この種の床ずれを防止する身体用マットの構成を開示するものとして、例えば、特許文献１、特許文献２、特許文献３、特許文献４等があった。
【０００３】
【特許文献１】特開平０２−７４６４８号公報
【特許文献２】特開平０９−１７０８号公報
【特許文献３】実用新案登録第３０９３８１２号公報
【特許文献４】特開平１８−２０４６６１号公報
【０００４】
上記特許文献１〜特許文献４に開示されている身体用マットは、例えば、身体の骨突出部位等に頻発する床ずれに対してその部位の除圧を行うための工夫が施されている共に、保温性、通気性、清潔性等を向上させるための工夫が施されているものである。
【発明の開示】
【発明が解決しようとする課題】
【０００５】
上記従来の構成によると次のような問題があった。
身体の骨突出部位等に頻発する床ずれに対してはその部位の除圧が有効であるが、末梢循環障害に伴う皮膚毛細血管の血流低下においては、その突出部位（例えば、踵や脹脛）に対する除圧だけでは不十分であり、その周囲を広く含む広範囲での除圧が不可欠である。
このような観点から従来の身体用マットの構成をみてみると、何れの身体用マットも床ずれが発生し易い圧迫部位における除圧を主目的としており、よって、それ以外の部位に対しては十分な除圧効果が得られず、結局、末梢循環障害に伴う皮膚毛細血管の血流低下環境下における床ずれ防止効果を得ることができないという問題があった。
又、除圧以外の、例えば、身体の沈み方に関してこれを特に考慮したものはなく、その為、身体の荷重を作用させた時に、いわゆる「横揺れ」が発生してしまい、使用者に痛みを感じさせてしまうという問題があった。すなわち、横揺れが発生すると、使用者の皮膚の身体用マットとの接触面に摩擦が生じることになり、その部位の毛細血管の内腔が変形して血流が減少してしまう。それによって、使用者に不快な痛みを感じさせてしまうものである。
【０００６】
本発明はこのような点に基づいてなされたものでその目的とするところは、身体の形態を底付きを起こすことなくその形態に合わせて沈めた状態で受け止めることができ、それによって、接触面積を拡大して局所的な除圧のみならず広範囲での除圧を可能にし、且つ、横揺れを防止することが可能な身体用マットを提供することにある。
【課題を解決するための手段】
【０００７】
上記目的を達成するべく本願発明の請求項１による身体用マットは、表面編地と裏面編地とこれら表面編地と裏面編地との間に設けられ上記表面編地と裏面編地とを連結する連結糸群とからなる立体編物であってその構成が同じもの及び又は異なるものを複数種類用意し、同じ種類の立体編物及び又は異なる種類の立体編物を複数枚積層させ、上記複数枚積層された立体編物の高さを比較した場合、上層を構成する立体編物の内最上位に位置する立体編物は上層のその他の立体編物及び中層・下層の立体編物に比べてその高さが低く設定されていることを特徴とするものである。
又、請求項２による身体用マットは、請求項１記載の身体用マットにおいて、上記複数枚積層された立体編物の内上層の立体編物の表面編地は中層・下層の立体編物の表面編地に比べて細かく編まれているものであることを特徴とするものである。
又、請求項３による身体用マットは、請求項１又は請求項２記載の身体用マットにおいて、上記各立体編物を二つ折りにして積層させたことを特徴とするものである。
又、請求項４による身体用マットは、請求項１〜請求項３の何れかに記載の身体用マットにおいて、その際、個々の立体編物が備えている荷重作用時の屈曲方向特性を考慮して、少なくとも積層させる全ての立体編物の上記屈曲方向特性が重ならないように、任意の立体編物を任意角度だけ回転・積層させるようにしたことを特徴とするものである。
又、請求項５による身体用マットは、請求項４記載の身体用マットにおいて、  上記複数枚の立体編物を積層させることにより、個々の立体編物が備えている荷重作用時の屈曲方向特性が全体として打ち消されて略鉛直下方に沈むように、上記回転させる任意の立体編物とその任意角度を決定することを特徴とするものである。
又、請求項６による身体用マットは、請求項５記載の身体用マットにおいて、  上記任意角度は４５°〜９０°の範囲で設定されることを特徴とするものである。
又、請求項７による身体用マットは、請求項６記載の身体用マットにおいて、  上記任意角度は９０°であることを特徴とするものである。
又、請求項８による身体用マットは、請求項７記載の身体用マットにおいて、上記複数枚の立体編物を９０°ずつ交互にずらして積層させたことを特徴とするものである。
【発明の効果】
【０００８】
以上述べたように本願発明の請求項１による身体用マットは、表面編地と裏面編地とこれら表面編地と裏面編地との間に設けられ上記表面編地と裏面編地とを連結する連結糸群とからなる立体編物であってその構成が同じもの及び又は異なるものを複数種類用意し、同じ種類の立体編物及び又は異なる種類の立体編物を複数枚積層させ、上記複数枚積層された立体編物の高さを比較した場合、上層を構成する立体編物の内最上位に位置する立体編物は上層のその他の立体編物及び中層・下層の立体編物に比べてその高さが低く設定されているので、身体の形態を底付きを起こすことなくその形態に合わせて沈めた状態で受け止めることができ、それによって、接触面積を拡大して局所的な除圧のみならず広範囲での除圧を可能にすることができる。したがって、身体の骨突出部位等に頻発する床ずれに対してはもとより、末梢循環障害に伴う皮膚毛細血管の血流低下に対しても効果的に機能して床ずれ防止を図ることかできる。又、上層部で一気に沈み込むようなことを防止することができる。
又、請求項２による身体用マットは、請求項１記載の身体用マットにおいて、上記複数枚積層された立体編物の内上層の立体編物の表面編地は中層・下層の立体編物の表面編地に比べて細かく編まれているので、使用者に対して心地良さを提供することができる。
又、請求項３による身体用マットは、請求項１又は請求項２記載の身体用マットにおいて、上記各立体編物を二つ折りにして積層させた構成になっているので、ずれを防止する効果が期待できる。すなわち、片側は元々連続しているので、例えば、縫製により一体化する場合にもその位置ずれを防止することができる。又、二つ折りにした場合には、裏面編地が重なり合うことになるので裏面編地による効果が倍増されることになる。又、積層される他の立体編物に対しては相互の表面編地が接触されることになるので、それによっても、表面編地による効果が倍増される、又、二つ折りにした場合には、荷重作用時の屈曲特性が反対になるので、相互に打ち消しあってより鉛直下方への沈み込みを可能にすることができる。
又、請求項４による身体用マットは、請求項１〜請求項３の何れかに記載の身体用マットにおいて、その際、個々の立体編物が備えている荷重作用時の屈曲方向特性を考慮して、少なくとも積層させる全ての立体編物の上記屈曲方向特性が重ならないように、任意の立体編物を任意角度だけ回転・積層させるようにしたので、横揺れを防止することができ、使用者が不快な痛みを感じるようなことをなくすことができる。すなわち、横揺れの発生を抑制することにより、使用者の皮膚の身体用マットとの接触面における摩擦を軽減させ、その部位の毛細血管の内腔が変形して血流が減少してしまうことを防止することかでき、それによって、使用者に不快な痛みを感じさせることを防止することができるものである。
又、請求項５による身体用マットは、請求項４記載の身体用マットにおいて、  上記複数枚の立体編物を積層させることにより、個々の立体編物が備えている荷重作用時の屈曲方向特性が全体として打ち消されて略鉛直下方に沈むように、上記回転させる任意の立体編物とその任意角度を決定するように構成されているので、上記効果をより確実なものとすることができる。
又、請求項６による身体用マットは、請求項５記載の身体用マットにおいて、  上記任意角度は４５°〜９０°の範囲で設定されるように構成されているので、それによっても、上記効果をより確実なとものとすることができる。
又、請求項７による身体用マットは、請求項６記載の身体用マットにおいて、  上記任意角度は９０°であるので、上記効果をより確実なものとすることができる。
又、請求項８による身体用マットは、請求項７記載の身体用マットにおいて、上記複数枚の立体編物を９０°ずつ交互にずらして積層させた構成になっているので、上記効果をより確実なものとすることができる。
【発明を実施するための最良の形態】
【０００９】
以下、図１乃至図１４を参照して本発明の一実施の形態を説明する。まず、図１乃至図７を参照して本実施の形態において使用する立体編物の構成について説明する。本実施の形態では、７種類の立体編物を使用して、それら７種類の立体編物を任意の組み合わせで積層させて使用するものである。
【００１０】
まず、図１に示すＡ型立体編物１について説明する。上記Ａ型立体編物１は、表面編地３と、裏面編地５と、これら表面編地３と裏面編地５との間に設けられ表面編地３と裏面編地５とを連結する連結糸群７とから構成されている。上記表面編地３は多孔状をなしていて、六角形の孔３ａが所定のピッチで複数形成された構成になっている。又、上記裏面編地５は繊維を格子状に編み込んだような状態になっていて、いわゆる「メッシュ」状に構成されている。又、上記連結糸群７は、図１（ｄ）に拡大して示すように、上記表面編地３の孔３ａ以外の部位から上記裏面編地５の繊維の間に福数本が束ねられたような状態で張設されている。
【００１１】
上記構成をなすＡ型立体編物１は、圧縮荷重に対して、特定の方向に屈曲する特性を備えている。具体的には、図１（ａ）において矢印ａで示す方向に屈曲するという特性を備えている。又、本実施の形態においては、上記Ａ型立体編物１の厚み（ｄ）は略３ｍｍに設定されている。又、上記連結糸群７の内一つの纏まり部分においては、図１（ｄ）に示すように、縦寸法（ａ）に対して横寸法（ｂ、横寸法は一定ではないが平均的な横寸法）が比較的大きな値となっている。
因みに、図１に示す場合には横寸法ｂが縦寸法ａの略半分程度に設定されているが、ａ＝ｂのようなものについても想定している。
【００１２】
次に、図２に示すＢ型立体編物１１について説明する。上記Ｂ型立体編物１１は、表面編地１３と、裏面編地１５と、これら表面編地１３と裏面編地１５との間に設けられ表面編地１３と裏面編地１５とを連結する連結糸群１７とから構成されている。上記表面編地１３と裏面編地１５は同じ構成になっていて、繊維を格子状に編み込んだような状態になっていて、いわゆる「メッシュ」状に構成されている。又、上記連結糸群１７は、図１（ｃ）に拡大して示すように、上記表面編地１３の繊維と裏面編地１５の繊維の間に張設されているものである。
【００１３】
上記構成をなすＢ型立体編物１１は、圧縮荷重に対して、特定の方向に屈曲する特性を備えている。具体的には、図２（ｂ）において矢印ｂで示す方向に屈曲するという特性を備えている。又、本実施の形態においては、上記Ｂ型立体編物１の厚み（ｄ）は略２ｍｍに設定されている。又、上記連結糸群７の内一つの纏まり部分における縦寸法（ａ）と横寸法（ｂ）の関係は略Ａ型立体編物１の場合と略同じである。
【００１４】
次に、図３に示すＣ型立体編物２１について説明する。上記Ｃ型立体編物２１は、表面編地２３と、裏面編地２５と、これら表面編地２３と裏面編地２５との間に設けられ表面編地２３と裏面編地２５とを連結する連結糸群２７とから構成されている。上記表面編地２３は多孔状をなしていて、六角形の孔２３ａが所定のピッチで複数形成された構成になっている。上記裏面編地２５も多孔状をなしていて、六角形の孔２５ａが所定のピッチで複数形成された構成になっている。又、上記連結糸群２７は、図１（ｃ）に拡大して示すように、上記表面編地２３の孔２３ａ以外の部位と上記裏面編地２５の孔２５ａ以外の部位との間に張設されている。
【００１５】
上記構成をなすＣ型立体編物２１は、圧縮荷重に対して、特定の方向に屈曲する特性を備えている。具体的には、図３（ａ）において矢印ｃで示す方向に屈曲するという特性を備えている。又、本実施の形態においては、上記Ｃ型立体編物１の厚み（ｄ）は略１０ｍｍに設定されている。又、上記連結糸群７の内一つの纏まり部分をみてみると、縦寸法（ａ）に対して横寸法（ｂ、横寸法は一定ではないが平均的な横寸法）が比較的小さく設定されている。具体的には、横寸法ｂは縦寸法ａの略１／８程度の大きさに設定されている。
【００１６】
次に、図４に示すＤ型立体編物３１について説明する。上記Ｄ型立体編物３１は、表面編地３３と、裏面編地３５と、これら表面編地３３と裏面編地３５との間に設けられ表面編地３３と裏面編地３５とを連結する連結糸群３７とから構成されている。上記表面編地３３は多孔状をなしていて、六角形の孔３３ａが所定のピッチで複数形成された構成になっている。上記裏面編地３５も多孔状をなしていて、六角形の孔３５ａが所定のピッチで複数形成された構成になっている。又、上記連結糸３７は、図４（ｃ）に拡大して示すように、上記表面編地３３の孔３３ａ以外の部位と上記裏面編地３５の孔３５ａ以外の部位との間に張設されている。
【００１７】
上記構成をなすＤ型立体編物３１は、圧縮荷重に対して、特定の方向に屈曲する特性を備えている。具体的には、図４（ａ）において矢印ｄで示す方向に屈曲するという特性を備えている。又、本実施の形態においては、上記Ｄ型立体編物３１の厚み（ｄ）は略８ｍｍに設定されている。又、上記連結糸群７の内一つの纏まり部分をみてみると、縦寸法（ａ）に対して横寸法（ｂ、横寸法は一定ではないが平均的な横寸法）が比較的小さく設定されている。具体的には、横寸法ｂは縦寸法ａの略１／５程度の大きさに設定されている。
【００１８】
次に、図５に示すＥ型立体編物４１について説明する。上記Ｅ型立体編物４１は、表面編地４３と、裏面編地４５と、これら表面編地４３と裏面編地４５との間に設けられ表面編地４３と裏面編地４５とを連結する連結糸群４７とから構成されている。上記表面編地４３は多孔状をなしていて、六角形の孔４３ａが所定のピッチで複数形成された構成になっている。上記裏面編地４５も多孔状をなしていて、六角形の孔４５ａが所定のピッチで複数形成された構成になっている。又、上記連結糸群４７は、図５（ｃ）に拡大して示すように、上記表面編地４３の孔４３ａ以外の部位と上記裏面編地４５の孔４５ａ以外の部位との間に張設されているものである。又、上記連結糸４７の一部は、図５（ａ）に示すように、横方向にも延長されているものである。
【００１９】
上記構成をなすＥ型立体編物４１は、圧縮荷重に対して、特定の方向に屈曲する特性を備えている。具体的には、図５（ａ）において矢印ｅで示す方向に屈曲するという特性を備えている。又、本実施の形態においては、上記Ｅ型立体編物４１の厚み（ｄ）は略４ｍｍに設定されている。又、上記連結糸群７の内一つの纏まり部分をみてみると、縦寸法（ａ）と横寸法（ｂ、横寸法は一定ではないが平均的な横寸法）の関係が、既に説明したＡ型立体編物１やＢ型立体編物１１のグループとＣ型立体編物２１やＤ型立体編物３１のグループの中間程度に設定されている。
【００２０】
次に、図６に示すＦ型立体編物５１について説明する。上記Ｆ型立体編物５１は、表面編地５３と、裏面編地５５と、これら表面編地５３と裏面編地５５との間に設けられ表面編地５３と裏面編地５５とを連結する連結糸群５７とから構成されている。上記表面編地５３は略布状に構成されている。上記裏面編地５５は多孔状をなしていて、六角形の孔５５ａが所定のピッチで複数形成された構成になっている。又、上記連結糸５７は、図６（ｃ）に拡大して示すように、上記表面編地５３と上記裏面編地５５の孔５５ａ以外の部位との間に張設されているものである。
【００２１】
上記構成をなすＦ型立体編物５１は、圧縮荷重に対して、特定の方向に屈曲する特性を備えている。具体的には、図５（ａ）において矢印ｆで示す方向に屈曲するという特性を備えている。又、本実施の形態においては、上記Ｆ型立体編物５１の厚み（ｄ）は略４ｍｍに設定されている。又、上記連結糸群７の内一つの纏まり部分をみてみると、縦寸法（ａ）と横寸法（ｂ、横寸法は一定ではないが平均的な横寸法）の関係が、既に説明したＡ型立体編物１やＢ型立体編物１１のグループとＣ型立体編物２１やＤ型立体編物３１のグループの中間程度に設定されている。
【００２２】
次に、図７に示すＨ型立体編物６１について説明する。上記Ｈ型立体編物６１は、表面編地６３と、裏面編地６５と、これら表面編地６３と裏面編地６５との間に設けられ表面編地６３と裏面編地６５とを連結する連結糸群６７とから構成されている。上記表面編地６３は多孔状をなしていて、六角形の孔６３ａが所定のピッチで複数形成された構成になっている。上記裏面編地６５も多孔状をなしていて、六角形の孔６５ａが所定のピッチで複数形成された構成になっている。又、上記連結糸６７は、図７（ｃ）に拡大して示すように、上記表面編地６３の孔６３ａ以外の部位と上記裏面編地６５の孔６５ａ以外の部位との間に張設されているものである。
【００２３】
上記構成をなすＨ型立体編物６１は、圧縮荷重に対して、特定の方向に屈曲する特性を備えている。具体的には、図７（ａ）において矢印ｇで示す方向に屈曲するという特性を備えている。又、本実施の形態においては、上記Ｈ型立体編物６１の厚み（ｄ）は略５ｍｍに設定されている。又、上記連結糸群７の内一つの纏まり部分をみてみると、縦寸法（ａ）と横寸法（ｂ、横寸法は一定ではないが平均的な横寸法）の関係が、上記Ｅ型立体編物４１やＦ型立体編物５１の場合と同様に、既に説明したＡ型立体編物１とＣ型立体編物２１の中間程度に設定されている。
尚、上記７種類の（Ａ型〜Ｆ型、Ｈ型）立体編物１〜６１としては、例えば、旭化成株式会社製の「フュージョン（登録商標）」なる素材の使用が考えられる。
【００２４】
本実施の形態の場合には、上記７種類の（Ａ型〜Ｆ型、Ｈ型）立体編物１〜６１の中から同一種類の立体編物１〜６１及び又は異なる種類の立体編物１〜６１を任意に選択し、それらを積層させることにより身体用マット７１を構成しているものである。この点に関して詳しく説明すると、本実施の形態の場合には、身体の形態を底付きを起こすことなくその形態に合わせて沈めた状態で受け止め、それによって、接触面積を増大させて、局所的な除圧のみならず、その周囲を含めた広範囲での除圧を行うことを企図している。そのため、荷重に対して復元力（緩やから反発力）を備えた素材の使用が必要となるが、既に説明した７種類の（Ａ型〜Ｆ型、Ｈ型）立体編物１〜６１はまさにそのような目的に適した素材である。
又、そのような立体編物１〜６１を使用した場合には、荷重作用時における横揺れが懸念される。本実施の形態ではそのような横揺れをなくすための工夫も施しているものである。
以下、図８及び図９を参照して具体的に説明する。
【００２５】
まず、図８に示す身体用マット７１から説明する。ここに示す身体用マット７１は、前述した７種類の（Ａ型〜Ｆ型、Ｈ型）立体編物１〜６１の中から、Ａ型立体編物１、Ｂ型立体編物１１、Ｃ型立体編物２１を選択して積層させた構成になっている。そして、図８に示す身体用マット７１は、Ａ型立体編物１、Ｂ型立体編物１１、Ｃ型立体編物２１を、夫々二つ折りにして、そのまま積層させた構成になっている。これに対して、図９に示す身体用マット７１は、Ａ型立体編物１、Ｂ型立体編物１１、Ｃ型立体編物２１を、夫々二つ折りにして、且つ、Ｂ型立体編物１１をＡ型立体編物１及びＣ型立体編物２１に対して９０°回転させた状態として積層させているものである。
【００２６】
以下、任意の組み合わせを１００通り以上設定して、それらについて圧力測定と使用者の感覚体験を確認した。その中には、回転方向にずらす角度を９０°ではなく４５°に設定したものもある。そして、最終的に１０種類の組み合わせに絞り込んだ。その組み合わせは次の通りである。
組み合わせ１：Ａ型立体編物１、Ｂ型立体編物１１、Ｃ型立体編物２１の組み合わせ（回転方向にずらしていないタイプと回転方向に９０°ずらしたタイプの二通り）。
組み合わせ２：Ａ型立体編物１、Ｂ型立体編物１１、Ｃ型立体編物２１、Ｄ型立体編物３１の組み合わせ（回転方向にずらしていないタイプと回転方向に９０°ずらしたタイプの二通り）。
組み合わせ３：Ａ型立体編物１、Ａ型立体編物１、Ｃ型立体編物２１の組み合わせ（回転方向にずらしていないタイプと回転方向に９０°ずらしたタイプの二通り）。
組み合わせ４：Ａ型立体編物１、Ｃ型立体編物２１、Ｅ型立体編物４１の組み合わせ（回転方向にずらしていないタイプと回転方向に９０°ずらしたタイプの二通り）。
組み合わせ５：Ａ型立体編物１、Ｈ型立体編物６１、Ｃ型立体編物２１の組み合わせ（回転方向にずらしていないタイプと回転方向に９０°ずらしたタイプの二通り）。
組み合わせ６：Ａ型立体編物１、Ｃ型立体編物２１、Ｃ型立体編物２１の組み合わせ（回転方向にずらしていないタイプと回転方向に９０°ずらしたタイプの二通り）。
組み合わせ７：Ａ型立体編物１、Ｂ型立体編物１１、Ｄ型立体編物３１、Ｃ型立体編物２１の組み合わせ（回転方向にずらしていないタイプと回転方向に９０°ずらしたタイプの二通り）。
組み合わせ８：Ａ型立体編物１、Ａ型立体編物１、Ｃ型立体編物２１、Ｄ型立体編物３１の組み合わせ（回転方向にずらしていないタイプと回転方向に９０°ずらしたタイプの二通り）。
組み合わせ９：Ａ型立体編物１、Ｆ型立体編物５１、Ｃ型立体編物２１の組み合わせ（回転方向にずらしていないタイプと回転方向に９０°ずらしたタイプの二通り）。
組み合わせ１０：Ａ型立体編物１、Ｆ型立体編物５１、Ｃ型立体編物２１、Ｄ型立体編物３１の組み合わせ（回転方向にずらしていないタイプと回転方向に９０°ずらしたタイプの二通り）。
尚、回転方向に９０°ずらして積層させる場合には、最上位に位置する立体編物２対して、二枚目の立体編物を９０°回転させ、順次、９０°回転させた状態で積層させていくことを意味している。
【００２７】
上記１０種類の組み合わせの身体用マット７１は次のような点でその他の身体用マットに比べて優れていると考えられる。まず、最上層に比較的高さが低く、且つ、連結糸群７の内一つの纏まり部分における縦寸法（ａ）に対して横寸法（ｂ、横寸法は一定ではないが平均的な横寸法）が比較的大きな値に設定されているＡ型立体編物１を配置しており、それによって、荷重作用時に一気に沈み込むことを防止できるようになっている。一方、中層及び下層においては比較的高さがあり、且つ、連結糸群７の内一つの纏まり部分における縦寸法（ａ）に対して横寸法（ｂ、横寸法は一定ではないが平均的な横寸法）が比較的小さく設定されている立体編物、例えば、Ｃ型立体編物２１、Ｄ型立体編物３１を配置することにより、必要な沈み込みを行わせて必要な接触面積を確保できるようになっている。又、最上層に配置されているＡ型立体編物１はその表面編地３が比較的細かく編まれているので、使用時の感触も心地良いものとなる。これらの理由により上記１０種類の組み合わせの身体用マット７１が選択されているものである。
【００２８】
ここで、圧力測定の様子を図１０を参照して説明する。まず、測定用ベッド８１があり、この測定用ベッド８１上には基台８３が設置されている。この基台８３上に上記測定対象である各種身体用マット７１を設置する。そして、上記身体用マット７１の上に圧力測定用敷物８５を設置する。この圧力測定用敷物８５には複数個の圧力センサ（図示せず）がマトリックス状に設置されていて、各部の圧力を細かく検出できる構成になっている。上記圧力測定用敷物８５からの検出信号は信号線８７を介してパーソナルコンピュータ８９に入力されるように構成されている。
【００２９】
そして、図示するように、上記圧力測定用敷物８５上に人間の足を模した足モデル９１を設置し、その足モデル９１上に荷重、例えば、砂袋９３を載せると共に、帯状砂袋９４を足モデル９１の先端部に巻き付けて、夫々荷重を作用させ、その際の各部位の圧力を測定するものである。
【００３０】
上記１０種類の組み合わせによる身体用マット７１に対する測定結果を図１１乃至図１３に示す。まず、図１１は、１０種類の組み合わせによる身体用マット７１（１０種類の組み合わせに関して夫々二つのタイプがあるので実際には２０種類）の荷重と測定圧力を示したものである。
【００３１】
例えば、「組み合わせ１」の二つのタイプについてみてみると、重り平均圧は初期値が「２７．７」であるのに対して、非回転タイプが「２４．１」、回転タイプが「１９．４」を夫々示している。次に、重りピークをみてみると、初期値が「４５」であるのに対して、非回転タイプが「３３．５」、回転タイプが「２６．５」を夫々示している。
次に、踵の測定圧力をみてみる。まず、踵の平均圧は、初期値が「２１．４」であるのに対して、非回転タイプが「１９．２」、回転タイプが「２２．１」を夫々示している。次に、踵のピーク圧をみてみると、初期値が「３６．１」であるのに対して、非回転タイプ「２７．２」、回転タイプが「３５．３」を夫々示している。
次に、脹脛の測定圧力をみてみる。まず、脹脛の平均圧は、初期値が「４９．１」であるのに対して、非回転タイプが「３０．８」、回転タイプが「２７．９」を夫々示している。次に、脹脛のピーク圧をみてみると、初期値が「１５２．８」であるのに対して、非回転タイプが「５６．９」、回転タイプが「４２．７」を夫々示している。
以下、残り９種類の組み合わせの夫々の二通りのタイプに関して同様の測定を行い、その結果を図１１に示しているものである。
【００３２】
次に、図１２であるが、これは１０種類の組み合わせによる身体用マット７１（１０種類の組み合わせに関して夫々二つのタイプがあるので実際には２０種類）の接触面積を測定して示したものである。
【００３３】
まず、組み合わせ１の二つのタイプについてみてみると、錘接触面積の初期値は「２４．２」であるのに対して、非回転タイプは「２４．２」、回転タイプは「２４．２」を夫々示している。次に、踵の接触面積をみてみると、初期値は「９．７」であるのに対して、非回転タイプは「１６．１」、回転タイプは「１６．１」を夫々示している。次に、脹脛の接触面積をみてみると、初期値は「１２４．２」であるのに対して、非回転タイプは「１５８．１」、非回転タイプは「１３８．７」を夫々示している。
以下、残り９種類の組み合わせの夫々の二通りのタイプに関して同様の測定を行い、その結果を図１１に示しているものである。
【００３４】
上記図１１、図１２、図１３は荷重を作用させた後３分経過後のデータを夫々示している。
【００３５】
次に、図１１〜図１３に示した１０種類の組み合わせによる身体用マット７１（１０種類の組み合わせに関して夫々二つのタイプがあるので実際には２０種類）の中から特に有効であると認められた３種類に関して、過重作用時の沈み方を測定した。まず、上記３種類とは次の３種類である。
組み合わせ２：Ａ型立体編物１、Ｂ型立体編物１１、Ｃ型立体編物２１、Ｄ型立体編物３１の組み合わせ（回転方向にずらしていないタイプと回転方向に９０°ずらしたタイプの二通り）。
組み合わせ４：Ａ型立体編物１、Ｃ型立体編物２１、Ｅ型立体編物４１の組み合わせ（回転方向にずらしていないタイプと回転方向に９０°ずらしたタイプの二通り）。
組み合わせ１０：Ａ型立体編物１、Ｆ型立体編物５１、Ｃ型立体編物２１、Ｄ型立体編物３１の組み合わせ（回転方向にずらしていないタイプと回転方向に９０°ずらしたタイプの二通り）。
これら３種類の身体用マット７１については、図１１〜図１３のデータからも明らかなように、踵と脹脛の両方において良好な結果が得られているものである。
【００３６】
上記沈み方の測定は次のような方法により行った。まず、キャリブレーション用分銅（１ｋｇ）の中心点を設定する。一方、レーザーポインタを空中に固定し、レーザーポインタより出力されるレーザ光を垂直の物指に沿わせて落して身体用マット７１上にスポットを映した。次に、キャリブレーション用分銅を身体用マット７１上に載せる。そして、３０秒経過した後、中心点とレーザーポインタのスポットとの距離を測定した。測定は３０回測定してその平均値を算出したものである。
【００３７】
図１４はその測定結果を示すものである。何れも中心点からのずれは小さいものの、９０度回転方向にずらしたものについては、特に効果的であり、殆ど真っ直ぐ下方に沈んでいることがわかる。
【００３８】
以上本実施の形態によると次のような効果を奏することができる。
まず、身体の形態を底付きを起こすことなくその形態に合わせて沈めた状態で受け止めることができ、それによって、接触面積を拡大して局所的な除圧のみならず広範囲での除圧を可能にすることができる。したがって、身体の骨突出部位等に頻発する床ずれに対してはもとより、末梢循環障害に伴う皮膚毛細血管の血流低下に対しても効果的に機能して床ずれ防止を図ることかできる。
又、横揺れを防止することができ、使用者が不快な痛みを感じるようなことをなくすことができる。すなわち、横揺れの発生を抑制することにより、使用者の皮膚の身体用マットとの接触面における摩擦を軽減させ、その部位の毛細血管の内腔が変形して血流が減少してしまうことを防止することかでき、それによって、使用者に不快な痛みを感じさせることを防止することができるものである。
特に、最上層に比較的高さが低く、且つ、連結糸群７の内一つの纏まり部分における縦寸法（ａ）に対して横寸法（ｂ、横寸法は一定ではないが平均的な横寸法）が比較的大きな値に設定されている立体編物、例えば、Ａ型立体編物１を配置した場合には、それによって、荷重作用時に一気に沈み込むことを防止できる。
又、中層及び下層において比較的高さがあり、且つ、連結糸群７の内一つの纏まり部分における縦寸法（ａ）に対して横寸法（ｂ、横寸法は一定ではないが平均的な横寸法）が比較的小さく設定されている立体編物、例えば、Ｃ型立体編物２１、Ｄ型立体編物３１等を配置した場合には、必要な沈み込みを行わせて必要な接触面積を確保することができる。
又、最上層にその表面編地３が比較的細かく編まれている立体編物、例えば、Ａ型立体編物１を使用した場合には、使用時の感触も心地良いものとなる。
又、本実施の形態の場合には、各立体編物１〜６１を二つ折りにして積層させているので、ずれを防止する効果が期待できる。すなわち、片側は元々連続しているので、例えば、縫製により一体化する場合にもその位置ずれを防止することができる。
又、二つ折りにした場合には、裏面編地５〜６５が重なり合うことになるので裏面編地５〜６５による効果が倍増されることになる。
又、積層される他の立体編物１〜６１に対しては相互の表面編地３〜６３が接触されることになるので、それによっても、表面編地３〜６３による効果が倍増される、
又、二つ折りにした場合には、荷重作用時の屈曲特性が反対になるので、相互に打ち消しあってより鉛直下方への沈み込みを可能にすることができる。
【００３９】
尚、本発明は前記一実施の形態に限定されるものではない。
まず、用途に関しては、病院や介護施設におけるベッドに敷く身体用マットが典型的な例であるが、それに限定されるものではなく、様々な用途が想定される。
又、前記各実施の形態の場合には、積層時に、各立体編物を二つ折りにして積層させた場合を例に挙げて説明しているが、それに限定されるものではなく、二つ折りせずに積層させる、三つ折り以上に折って積層させるような構成も想定される。
又、前記一実施の形態では、上層、中層、下層に夫々立体編物を一枚又は二枚設置した場合を例に挙げて説明しているが、各層に何枚の立体編物を積層させるかについてはこれを特に限定するものではない。例えば、上層に複数枚の立体編物を積層させた場合、少なくとも、その内の最上位に位置する立体編物の高さが上層のその他の立体編物および中層、下層の立体編物の高さより低く設定されていればよく、その際上層のその他の立体編物の高さが中層、下層の立体編物の高さより高いような場合も想定される。
その他、図示したものはあくまで一例である。
【産業上の利用可能性】
【００４０】
本発明は身体用マットに係り、特に、身体の形態を底付きを起こすことなくその形態に合わせて沈めた状態で受け止めることができ、それによって、接触面積を拡大して局所的な除圧のみならず広範囲での除圧を可能にし、且つ、横揺れを防止することができるように工夫したものに関し、例えば、病院、介護施設等において使用される床ずれ防止マットとして最適である。
【図面の簡単な説明】
【００４１】
【図１】本発明の一実施の形態を示す図で、図１（ａ）は立体編物の平面図、図１（ｂ）は立体編物の背面図、図１（ｃ）は立体編物の側面図、図１（ｄ）は図１（ｃ）のｄ部を拡大して示す側面図である。
【図２】本発明の一実施の形態を示す図で、図２（ａ）は立体編物の平面図、図２（ｂ）は立体編物の側面図、図２（ｃ）は図２（ｂ）のｃ部を拡大して示す側面図である。
【図３】本発明の一実施の形態を示す図で、図３（ａ）は立体編物の平面図、図３（ｂ）は立体編物の背面図、図３（ｃ）は図３（ｂ）のｃ部を拡大して示す側面図である。
【図４】本発明の一実施の形態を示す図で、図４（ａ）は立体編物の平面図、図４（ｂ）は立体編物の背面図、図４（ｃ）は図４（ｂ）のｃ部を拡大して示す側面図である。
【図５】本発明の一実施の形態を示す図で、図５（ａ）は立体編物の平面図、図５（ｂ）は立体編物の背面図、図５（ｃ）は図５（ｂ）のｃ部を拡大して示す側面図である。
【図６】本発明の一実施の形態を示す図で、図６（ａ）は立体編物の平面図、図６（ｂ）は立体編物の背面図、図６（ｃ）は立体編物の側面図、図６（ｄ）は図６（ｃ）のｄ部を拡大して示す側面図である。
【図７】本発明の一実施の形態を示す図で、図７（ａ）は立体編物の平面図、図７（ｂ）は立体編物の側面図、図７（ｃ）は図７（ｂ）のｃ部を拡大して示す側面図である。
【図８】本発明の一実施の形態を示す図で、身体用マットの構成を示す斜視図である。
【図９】本発明の一実施の形態を示す図で、身体用マットの構成を示す斜視図である。
【図１０】本発明の一実施の形態を示す図で、圧力を測定するための装置を示す斜視図である。
【図１１】本発明の一実施の形態を示す図で、測定結果を示す図である。
【図１２】本発明の一実施の形態を示す図で、測定結果を示す図である。
【図１３】本発明の一実施の形態を示す図で、測定結果を示す図である。
【図１４】本発明の一実施の形態を示す図で、測定結果を示す図である。
【符号の説明】
【００４２】
１  Ａ型立体編物
３  表面編地
５  裏面編地
７  連結糸
１１  Ｂ型立体編物
１３  表面編地
１５  裏面編地
１７  連結糸
２１  Ｃ型立体編物
２３  表面編地
２５  裏面編地
２７  連結糸
３１  Ｄ型立体編物
３３  表面編地
３５  裏面編地
３７  連結糸
４１  Ｅ型立体編物
４３  表面編地
４５  裏面編地
４７  連結糸
５１  Ｆ型立体編物
５３  表面編地
５５  裏面編地
５７  連結糸
６１  Ｈ型立体編物
６３  表面編地
６５  裏面編地
６７  連結糸
７１  身体用マット
【図１】
2010148657.tif 000003
【図２】
2010148657.tif 000004
【図３】
2010148657.tif 000005
【図４】
2010148657.tif 000006
【図５】
2010148657.tif 000007
【図６】
2010148657.tif 000008
【図７】
2010148657.tif 000009
【図８】
2010148657.tif 000010
【図９】
2010148657.tif 000011
【図１０】
2010148657.tif 000012
【図１１】
2010148657.tif 000013
【図１２】
2010148657.tif 000014
【図１３】
2010148657.tif 000015
【図１４】
2010148657.tif 000016
【手続補正書】
【提出日】平成21年12月24日(2009.12.24)
【手続補正１】
【補正対象書類名】明細書
【補正対象項目名】００３７
【補正方法】変更
【補正の内容】
【００３７】
図１４はその測定結果を示すものである。何れも中心点からのずれは小さいものの、９０度回転方向にずらしたものについては、特に効果的であり、殆ど真っ直ぐ下方に沈んでいることがわかる。
尚、既に説明した図１１、図１２、図１３において、接触面積の単位はｃｍ２、平均圧とピーク圧の単位はｍｍＨｇ、又、図１４において距離の単位はｍｍである。